(57)【要約】【課題】紙製の新聞紙収納袋に新聞紙を整然と収納しやすく、かつ新聞紙収納袋が破れるのを防ぐことができる新聞紙収納補助具を提供する。【解決手段】プラスチック製の長方形の板を短辺に平行な３本の折れ線で角筒状に折り曲げて成り、４つの平面１１ａ，１１ｂ，１１ｃ，１１ｄを有する。新聞紙収納袋１の内部で各折れ線および短辺を４つの側部コーナーに沿わせ、４つの平面１１ａ，１１ｂ，１１ｃ，１１ｄを４つの側面２ａ，２ｂ，２ｃ，２ｄに沿わせて配置可能である。角筒状に折り曲げたとき対向する２つの平面１１ｃ，１１ｄの縁部付近に、１対のつまみ１２を有する。【選択図】図１
0003176302.tif 000002
【実用新案登録請求の範囲】
【請求項１】
紙製の新聞紙収納袋の内部に配置して使用される新聞紙収納補助具であって、
前記新聞紙収納袋は４つの側部コーナーと４つの側面とを有し、直方体の箱型に開いて長方形状の開口から折り畳んだ新聞紙を収納可能に形成され、
長方形の板を短辺に平行な３本の折れ線で角筒状に折り曲げて成る４つの平面を有し、前記新聞紙収納袋の内部で各折れ線および短辺を前記４つの側部コーナーに沿わせ、前記４つの平面を前記４つの側面に沿わせて配置可能な構成を有し、
角筒状に折り曲げたとき対向する２つの前記平面の縁部付近に１対のつまみを有することを、
特徴とする新聞紙収納補助具。
【考案の詳細な説明】
【技術分野】
【０００１】
本考案は、新聞紙収納補助具に関する。
【背景技術】
【０００２】
従来、新聞紙をまとめて収納するための紙製の新聞紙収納袋がある（例えば、特許文献１または２参照）。この新聞紙収納袋を利用して新聞紙をまとめることにより、新聞紙を回収したり捨てたりするのが容易になる。
【先行技術文献】
【特許文献】
【０００３】
【特許文献１】実開昭６３−２３２０５号公報
【特許文献２】実開平２−１５４３１号公報
【考案の概要】
【考案が解決しようとする課題】
【０００４】
しかしながら、特許文献１および２に記載のような従来の紙製の新聞紙収納袋では、新聞紙を入れるときに折れたり曲がったりして入れにくいという課題があった。また、新聞紙がたまると形が崩れ、新聞紙をまとめにくくなるという課題もあった。また、形が崩れたり折れたりすることにより、新聞紙収納袋が破れやすくなるという課題があった。
【０００５】
本考案は、このような課題に着目してなされたもので、紙製の新聞紙収納袋に新聞紙を整然と収納しやすく、かつ新聞紙収納袋が破れるのを防ぐことができる新聞紙収納補助具を提供することを目的とする。
【課題を解決するための手段】
【０００６】
上記目的を達成するために、本考案に係る新聞紙収納補助具は、紙製の新聞紙収納袋の内部に配置して使用される新聞紙収納補助具であって、前記新聞紙収納袋は４つの側部コーナーと４つの側面とを有し、直方体の箱型に開いて長方形状の開口から折り畳んだ新聞紙を収納可能に形成され、長方形の板を短辺に平行な３本の折れ線で角筒状に折り曲げて成る４つの平面を有し、前記新聞紙収納袋の内部で各折れ線および短辺を前記４つの側部コーナーに沿わせ、前記４つの平面を前記４つの側面に沿わせて配置可能な構成を有し、角筒状に折り曲げたとき対向する２つの前記平面の縁部付近に１対のつまみを有することを、特徴とする。
【０００７】
本考案に係る新聞紙収納補助具は、新聞紙収納袋の内部で各折れ線および短辺を４つの側部コーナーに沿わせ、４つの平面を４つの側面に沿わせて配置して使用される。新聞紙収納補助具を新聞紙収納袋の内部に入れることにより、新聞紙収納袋を開いた状態で保つことができる。新聞紙は、新聞紙収納補助具の各平面で囲まれた内側に寝かせた状態で収納していく。新聞紙収納補助具により、新聞紙を四方の各平面に沿って円滑に整然と収納することができる。新聞紙が多数重なっても形が崩れないため、新聞紙をまとめやすくなる。また、新聞紙収納袋は、新聞紙収納補助具で保護されるので、新聞紙の角が当たって破れるのを防ぐことができる。
【０００８】
新聞紙が多数溜まったならば、各つまみを持って新聞紙収納補助具を引き上げる。新聞紙収納袋から引き出すことにより、新聞紙収納袋の内部に新聞紙を整然とまとめて収納することができる。まとめた新聞紙は、新聞紙収納袋ごと紐で縛ることにより、資源ごみとして回収しやすくなる。本考案に係る新聞紙収納補助具は、広げたり折り曲げたりして薄く平坦な形状にすれば、場所をとらずに保管することができる。
【考案の効果】
【０００９】
本考案によれば、紙製の新聞紙収納袋に新聞紙を整然と収納しやすく、かつ新聞紙収納袋が破れるのを防ぐことができる新聞紙収納補助具を提供することができる。
【図面の簡単な説明】
【００１０】
【図１】本考案の実施の形態の新聞紙収納補助具を示す斜視図である。
【図２】図１に示す新聞紙収納補助具の平面図である。
【考案を実施するための形態】
【００１１】
以下、図面に基づき本考案の実施の形態について説明する。
図１および図２は、本考案の実施の形態の新聞紙収納補助具を示している。
図１および図２に示すように、新聞紙収納補助具１０は、新聞紙を収納するための紙製の新聞紙収納袋１の内部に配置して使用される。新聞紙収納袋１は、４つの側部コーナー１ａ，１ｂ，１ｃ，１ｄと４つの側面２ａ，２ｂ，２ｃ，２ｄとを有し、直方体の箱型に開いて長方形状の開口３から折り畳んだ新聞紙を収納可能に形成されている。新聞紙収納袋１には、新聞販売店などから毎月提供されるものが適している。
【００１２】
新聞紙収納補助具１０は、プラスチック製の長方形の板を短辺１０ａ，１０ｂに平行な３本の折れ線１０ｃ，１０ｄ，１０ｅで角筒状に折り曲げて成り、４つの平面１１ａ，１１ｂ，１１ｃ，１１ｄを有している。これにより、新聞紙収納補助具１０は、新聞紙収納袋１の内部で各折れ線１０ｃ，１０ｄ，１０ｅおよび短辺１０ａ，１０ｂを４つの側部コーナー１ａ，１ｂ，１ｃ，１ｄに沿わせ、４つの平面１１ａ，１１ｂ，１１ｃ，１１ｄを４つの側面２ａ，２ｂ，２ｃ，２ｄに沿わせて配置可能となっている。新聞紙収納補助具１０は、角筒状に折り曲げたとき対向する２つの平面１１ｃ，１１ｄの縁部付近に、１対のつまみ１２，１２を有している。
【００１３】
各平面１１ａ〜１１ｄは、それぞれ新聞紙収納袋１の４つの側面２ａ〜２ｄに対応して、各側面の大きさよりやや小さく形成されている。各平面１１ａ〜１１ｄは、幅が狭い２枚の平面１１ａ，１１ｂと、幅が広い２枚の平面１１ｃ，１１ｄとから成っている。各平面１１ａ〜１１ｄは、幅が狭い平面１１ａ，１１ｂと幅が広い平面１１ｃ，１１ｄとを幅方向に交互に一列に並べ、隣り合う辺同士に、赤や黒などの色付きのビニールテープ１３を貼り付けて一体的に連結されている。各平面１１ａ〜１１ｄを色付きのビニールテープ１３で接続することにより、折り目がわかりやすく、デザイン的にも優れている。各平面１１ａ〜１１ｄは、ビニールテープ１３で接続された折れ線１０ｃ，１０ｄ，１０ｅで折り曲げ可能となっている。
【００１４】
各つまみ１２は、指で摘みやすい大きさで、それぞれ幅が大きい２枚の平面１１ｃ，１１ｄの、同じ側の面の、同じ側の縁部に設けられている。
【００１５】
次に、作用について説明する。
新聞紙収納補助具１０は、新聞紙収納袋１の内部で各折れ線１０ｃ，１０ｄ，１０ｅおよび短辺１０ａ，１０ｂを４つの側部コーナー１ａ，１ｂ，１ｃ，１ｄに沿わせ、４つの平面１１ａ，１１ｂ，１１ｃ，１１ｄを４つの側面２ａ，２ｂ，２ｃ，２ｄに沿わせて配置して使用される。このとき、つまみ１２，１２が全体の上側になるようにし、つまみ１２，１２を新聞紙収納袋１の開口３付近に位置付ける。
【００１６】
新聞紙収納補助具１０を新聞紙収納袋１の内部に入れることにより、新聞紙収納袋１を開いた状態で保つことができる。新聞紙は、新聞紙収納補助具１０の各平面１１ａ〜１１ｄで囲まれた内側に寝かせた状態で収納していく。新聞紙収納補助具１０により、新聞紙を四方の各平面１１ａ〜１１ｄに沿って円滑に整然と収納することができる。新聞紙が多数重なっても形が崩れないため、新聞紙をまとめやすくなる。また、新聞紙収納袋１は、新聞紙収納補助具１０で保護されるので、新聞紙の角が当たって破れるのを防ぐことができる。
【００１７】
新聞紙が多数溜まったならば、各つまみ１２，１２を持って新聞紙収納補助具１０を引き上げる。新聞紙収納袋１から引き出すことにより、新聞紙収納袋１の内部に新聞紙を整然とまとめて収納することができる。まとめた新聞紙は、新聞紙収納袋１ごと紐で縛ることにより、資源ごみとして回収しやすくなる。本考案に係る新聞紙収納補助具１０は、広げたり折り曲げたりして薄く平坦な形状にすれば、場所をとらずに保管することができる。新聞紙収納補助具１０は、市販の材料を組み合わせることにより、容易かつ安価に作製することができる。
【符号の説明】
【００１８】
１  新聞紙収納袋
１ａ，１ｂ，１ｃ，１ｄ  側部コーナー
２ａ，２ｂ，２ｃ，２ｄ  側面
３  開口
１０  新聞紙収納補助具
１０ａ，１０ｂ  短辺
１０ｃ，１０ｄ，１０ｅ  折れ線
１１a，１１ｂ，１１ｃ，１１ｄ  平面
１２  つまみ
１３  ビニールテープ
【図１】
0003176302.tif 000003
【図２】
0003176302.tif 000004